(57)【要約】【課題】光ディスクの基本的な規格を判別するだけでなく、同一規格の書き替え型光ディスクに対して、その記録膜の特性に基づく種類を自動判別することを可能とした光ディスク装置に適用される前記光ディスクとしての記録媒体を提供する。【解決手段】本発明に係る書き換え型記録媒体は、単層Ｌ−Ｈ媒体の初期化状態、２層Ｈ−Ｌ媒体のＬ０層の初期化状態、及び２層Ｌ−Ｈ媒体のＬ０層の未初期化状態の光反射率が、単層Ｈ−Ｌ媒体の初期化状態の光反射率と重複しないように形成されている。【選択図】    図１７
2008234831.tif 000002
【特許請求の範囲】
【請求項１】
記録膜の光記録前後の光学的特性がそれぞれ異なり、再生用光ビームの反射光量に対応する再生信号レベルが前記光記録前後で変化し、最内周部に記録膜の結晶部と非結晶部により情報が記録されたＢＣＡ（Ｂｕｒｓｔ  Ｃｕｔｔｉｎｇ  Ａｒｅａ）をそれぞれ有し、共に単層記録膜を有する単層Ｌ−Ｈ媒体及び単層Ｈ−Ｌ媒体、及び共に２層記録膜を有する２層Ｌ−Ｈ媒体及び２層Ｈ−Ｌ媒体を含む書き換え型記録媒体であって、
前記２層Ｌ−Ｈ媒体のＬ０層の初期化状態と前記２層Ｈ−Ｌ媒体のＬ０層の未初期化状態の光反射率範囲が重複しないように形成されていることを特徴とする書き替え型記録媒体。
【請求項２】
前記２層Ｌ−Ｈ媒体のＬ０層の初期化状態光反射率が４〜１０％の範囲内に、前記２層Ｈ−Ｌ媒体のＬ０層の未初期化状態光反射率が２％以下に設定されていることを特徴とする請求項１記載の書き替え型記録媒体。
【請求項３】
前記単層Ｌ−Ｈ媒体の初期化状態、前記２層Ｈ−Ｌ媒体のＬ０層の初期化状態、及び前記２層Ｌ−Ｈ媒体のＬ０層の未初期化状態の光反射率が、前記単層Ｈ−Ｌ媒体の初期化状態の光反射率と重複しないように形成されていることを特徴とする請求項１記載の書き替え型記録媒体。
【請求項４】
前記単層Ｌ−Ｈ媒体の初期化状態光反射率、前記２層Ｈ−Ｌ媒体のＬ０層の初期化状態光反射率、前記２層Ｌ−Ｈ媒体のＬ０層の未初期化状態光反射率が４〜１０％の範囲内に、前記単層Ｈ−Ｌ媒体の初期化状態光反射率が１２〜４０％の範囲内に設定されていることを特徴とする請求項３記載の書き替え型記録媒体。
【発明の詳細な説明】
【技術分野】
【０００１】
この発明は、光ディスクに対して情報の記録再生を行なう光ディスク装置、その制御方法及び書き替え型記録媒体に関する。
【背景技術】
【０００２】
周知のように、近年では、情報の高密度記録技術が促進されており、片面１層に４．７ＧＢ（Ｇｉｇａ  Ｂｙｔｅ）の記録容量を有する光ディスクが実用化されている。
【０００３】
この種の光ディスクには、例えば、再生専用のＤＶＤ−ＲＯＭ（Ｄｉｇｉｔａｌ  Ｖｅｒｓａｔｉｌｅ  Ｄｉｓｋ−Ｒｅａｄ  Ｏｎｌｙ  Ｍｅｍｏｒｙ）、書き替え可能なＤＶＤ−ＲＡＭ（Ｒａｎｄｏｍ  Ａｃｃｅｓｓ  Ｍｅｍｏｒｙ）、ＤＶＤ−ＲＷ（Ｒｅｗｒｉｔａｂｌｅ）、＋ＲＷ、追記可能なＤＶＤ−Ｒ（Ｒｅｃｏｒｄａｂｌｅ）等のように、種々の規格のものが存在する。
【０００４】
そして、数種類の規格の光ディスクを選択的に装着して記録再生を行なうことが可能な光ディスク装置では、光ディスクの光反射率が規格によって異なることを利用して、装着された光ディスクの規格を自動的に判別し、その判別結果に基づいて各部の調整や設定を変更する機能が備えられている。
【０００５】
ところで、現在の書き替え型光ディスクは、同一規格のものであっても、使用される記録膜の特性によって、さらに複数の種類に細分化されてきている。
【０００６】
具体的に言えば、光反射率が高く、その反射光を光電変換した結果がＨ（Ｈｉｇｈ）レベルとなる特性の記録膜を、光反射率が低く、その反射光を光電変換した結果がＬ（Ｌｏｗ）レベルとなる特性に反転させてデータを記録していくタイプの光ディスク（以下、Ｌ−Ｈ媒体という）と、光反射率が低く、その反射光を光電変換した結果がＬレベルとなる特性の記録膜を、光反射率が高く、その反射光を光電変換した結果がＨレベルとなる特性に反転させてデータを記録していくタイプの光ディスク（以下、Ｈ−Ｌ媒体という）とに分化されている。
【０００７】
このため、光ディスク装置としては、単に、ＤＶＤ−ＲＡＭ、ＤＶＤ−ＲＷ、＋ＲＷ等の基本的な規格を判別するだけでなく、同一規格の書き替え型光ディスクに対して、Ｌ−Ｈ媒体かＨ−Ｌ媒体かも自動的に判別して、各部の調整や設定を変更する機能を持つことが肝要になる。
【０００８】
特許文献１には、装着された光ディスクにフォーカスサーチを施し、その結果得られたフォーカスエラー信号に基づいて光ディスクの光反射率を測定することにより、ＣＤ（Ｃｏｍａｐｃｔ  Ｄｉｓｋ）−ＲＯＭまたはＣＤ−ＲとＣＤ−ＲＷとの判別を行ない、判別結果に応じて再生・記録用の各回路を切り替えるようにした構成が開示されている。
【特許文献１】特開２００１−２６６３６７号公報
【発明の開示】
【発明が解決しようとする課題】
【０００９】
上記特許文献１には、同一規格の書き替え型光ディスクに対して、さらに、使用されている記録膜の特性に起因するタイプ（Ｌ−Ｈ媒体かＨ−Ｌ媒体か）を自動判別することについては何ら記載されていない。
【００１０】
そこで、この発明は上記事情を考慮してなされたもので、光ディスクの基本的な規格を判別するだけでなく、同一規格の書き替え型光ディスクに対して、その記録膜の特性に基づく種類を自動判別することを可能とした光ディスク装置に適用される光ディスクとしての記録媒体を提供することを目的とする。
【課題を解決するための手段】
【００１１】
この発明に係る記録媒体は、記録膜の光記録前後の光学的特性がそれぞれ異なり、再生用光ビームの反射光量に対応する再生信号レベルが前記光記録前後で変化し、最内周部に記録膜の結晶部と非結晶部により情報が記録されたＢＣＡ（Ｂｕｒｓｔ  Ｃｕｔｔｉｎｇ  Ａｒｅａ）をそれぞれ有し、共に単層記録膜を有する単層Ｌ−Ｈ媒体及び単層Ｈ−Ｌ媒体、及び共に２層記録膜を有する２層Ｌ−Ｈ媒体及び２層Ｈ−Ｌ媒体を含む書き換え型記録媒体であって、前記２層Ｌ−Ｈ媒体のＬ０層の初期化状態と前記２層Ｈ−Ｌ媒体のＬ０層の未初期化状態の光反射率範囲が重複しないように形成されている。
【発明の効果】
【００１２】
単層Ｌ−Ｈ媒体及び単層Ｈ−Ｌ媒体、及び２層Ｌ−Ｈ媒体及び２層Ｈ−Ｌ媒体を含む光ディスクの基本的な規格を判別するだけでなく、同一規格の書き替え型光ディスクに対して、その記録膜の特性に基づく種類を自動判別することが可能となる。
【発明を実施するための最良の形態】
【００１３】
以下、この発明の実施の形態について図面を参照して詳細に説明する。図１は、単層書き替え型光ディスク１１における情報記録領域の構造を示している。この光ディスク１１には、その内周側から外周側に向けて、ＢＣＡ（Ｂｕｒｓｔ  Ｃｕｔｔｉｎｇ  Ａｒｅａ）１２、システムリードインエリア（Ｓｙｓｔｅｍ  Ｌｅａｄ−ｉｎ  Ａｒｅａ）１３、コネクションエリア（Ｃｏｎｎｅｃｔｉｏｎ  Ａｒｅａ）１４、データリードインエリア（Ｄａｔａ  Ｌｅａｄ−ｉｎ  Ａｒｅａ）１５、データエリア（Ｄａｔａ  Ａｒｅａ）１６、データリードアウトエリア（Ｄａｔａ  Ｌｅａｄ−ｏｕｔ  Ａｒｅａ）１７が形成されている。
【００１４】
そして、データリードインエリア１５、データエリア１６、データリードアウトエリア１７では、情報記録層の凹凸によって情報記録トラックを形成するランド・グルーブ方式が採用されている。また、記録された情報は、最内周のＢＣＡ１２から外周側に向けて読み出される。
【００１５】
この光ディスク１１のＢＣＡ１２には、図２に示すように、バーコードによって情報が書き込まれている。このバーコードによって書き込まれた情報には、図３に示すように、規格書のブックバージョン（Ｂｏｏｋ  Ｖｅｒｓｉｏｎ）や著作権保護の情報が含まれている。
【００１６】
ＢＣＡ１２にバーコードで情報を書き込むためには、光ディスク１１全体の記録膜を初期化した後に、レーザートリミングによって記録膜及び反射膜を除去する手法と、記録膜の初期化状態と未初期化状態との光反射率の違いを利用する手法との２通りがある。
【００１７】
図４は、上記システムリードインエリア１３、コネクションエリア１４、データリードインエリア１５のデータ構造を示している。システムリードインエリア１３には、内周側から外周側に向けて、イニシャルゾーン（Ｉｎｉｔｉａｌ  Ｚｏｎｅ）１３ａ、バッファゾーン（Ｂｕｆｆｅｒ  Ｚｏｎｅ）１３ｂ、コントロールデータゾーン（Ｃｏｎｔｒｏｌ  Ｄａｔａ  Ｚｏｎｅ）１３ｃ、バッファゾーン１３ｄの４つのゾーンが構成されている。
【００１８】
コネクションエリア１４は、コネクションゾーン（Ｃｏｎｅｃｔｉｏｎ  Ｚｏｎｅ）１４ａのみで構成されている。データリードインエリア１５には、内周側から外周側に向けて、ガードトラックゾーン（Ｇｕａｒｄ  Ｔｒａｃｋ  Ｚｏｎｅ）１５ａ、ディスクテストゾーン（Ｄｉｓｋ  Ｔｅｓｔ  Ｚｏｎｅ）１５ｂ、ドライブテストゾーン（Ｄｒｉｖｅ  Ｔｅｓｔ  Ｚｏｎｅ）１５ｃ、ガードトラックゾーン１５ｄ、ディスクＩＤゾーン（Ｄｉｓｋ  Ｉｄｅｎｔｉｆｉｃａｔｉｏｎ  Ｚｏｎｅ）１５ｅ、ＤＭＡ１＆ＤＭＡ２  １５ｆの６つのゾーンが構成されている。
【００１９】
次に本発明の一実施形態が適用される情報記録再生装置について説明する。図５は情報記録再生装置の構成を示すブロック図である。
【００２０】
４０１は情報記録媒体（光ディスク）であり、４０２は光ヘッド、４０３は光ヘッドをディスクの半径方向へ移動制御するヘッド送り機構である。記録信号は、ホスト装置（図示され図）からデータ入出力インターフェース４２２を介してＥＣＣエンコーディング回路４０８に入力される。記録信号はＥＣＣブロック化され、変調回路４０７に供給される。ここで例えば８／１６変調された情報は、記録・再生・消去・制御波形発生回路４０６に入力され、記録用信号となる。この記録用信号は、レーザー駆動回路４０５に供給されて光ヘッド４０２のレーザービームの強弱を制御する。
【００２１】
再生時には、光ヘッド４０２で読取られた再生信号は、アンプ４１３で増幅されて２値化回路４１２に入力され２値化される。２値化信号は、ＰＬＬ回路４１１、復調回路４１０に入力される。復調回路４１０では、１６／８復調を行なう。復調信号は、エラー訂正回路４０９においてＥＣＣブロック単位でエラー訂正される。このとき半導体メモリ４１９も利用される。アンプ４１３、２値化回路、ＰＬＬ回路４１１、復調回路は再生回路（再生信号処理回路）４３０を構成する。再生回路４３０は例えばＰＲＭＬ(Partial Response and Maximum Likelihood)信号処理を行って再生信号３０から情報を抽出する。再生回路４３０は、ディスク上のＢＣＡ１２、システムリードインエリア１３等の各エリアに応じて、アンプ４３０のゲインあるいはＰＲＭＬ信号処理の処理パラメータを、制御部４２０からの指示に基づいて変更し、再生信号３０から適切に情報を抽出する。
【００２２】
ＰＬＬ回路４１１のクロックは、媒体回転速度検出回路４１４に入力される。媒体回転速度検出回路４１４で検出された回転速度情報は、スピンドルモータ制御部４１５に入力される。スピンドルモータ制御部４１５は、モータ４０４の回転を制御し、光ディスク１１の所望の回転速度が得られるように回転テーブル４２１を回転駆動する。
【００２３】
送りモータ駆動回路４１６は、ヘッド移動機構４０３の送りモータを制御し、光ヘッド４０２とディスク４０１との相対位置を制御するためのものである。フォーカス・トラッキングエラー検出回路４１７は、光ヘッド信号からフォーカスエラー、トラッキングエラーなどを検出し、対物レンズアクチュエータ駆動機構４１８にその制御信号を与える。これにより、光ヘッド４０２のフォーカス、トラッキングが修正される。制御部４２０は全体のブロックを制御すると共に本装置に装着された光ディスクを判別し、記録時には、ディスクに記録される管理情報の生成などを行ない、また再生時には管理情報を読取り再生位置などの認識を行なう。
【００２４】
ここで、書き替え型の光ディスク１１にあっては、例えば、記録再生された情報の信頼性を重視する、書き替え回数を重視する、記録速度を重視する等のように、その目的用途に応じて多種類の記録膜が開発されている。そして、光ディスク１１が、前述したＬ−Ｈ媒体であるかＨ−Ｌ媒体であるかは、使用されている記録膜の特性に依存する。
【００２５】
現状の光ディスク装置では、書き替え型の光ディスク１１における再生信号特性が厳密に規定されているために、目的用途別に記録膜の種類を変えた光ディスク１１が混在する状況に対処すること、つまり、Ｌ−Ｈ媒体とＨ−Ｌ媒体とのいずれの光ディスク１１に対しても適応的に記録再生を行なうことは不可能である。
【００２６】
図６は、上記した光ディスク装置１８において、装着された光ディスク１１がＬ−Ｈ媒体であるかＨ−Ｌ媒体であるかを自動判別し、その光ディスク１１に適応した記録再生処理を実現するための、つまり、Ｌ−Ｈ媒体とＨ−Ｌ媒体との混在使用を可能とするための動作を示すフローチャートである。
【００２７】
まず、上記した回転テーブル４２１に光ディスク１１が装着されることにより、動作が開始されると（ステップＳ１）、制御部４２０は、ステップＳ２で、光ディスク１１を回転駆動させ、ステップＳ３で、光ヘッド４０２を光ディスク１１の最内周部に移動させ、ステップＳ４で、光ヘッド４０２内のレーザーダイオードを発光させる。
【００２８】
そして、制御部４２０は、ステップＳ５で、光ディスク１１の表面反射位置を見つけ、光ヘッド４０２内の対物レンズをフォーカス方向に移動させて合焦点位置を検索する、いわゆるフォーカスサーチを実行する。このフォーカスサーチ時に、制御部４２０は、ステップＳ６で、再生信号のレベルから光反射率の測定を行なうことにより、書き替え型の光ディスク１１が装着されていることを認識する。
【００２９】
その後、制御部４２０は、ステップＳ７で、光ヘッド４０２を光ディスク１１の径方向に移動させてＢＣＡ１２を検出し、ステップＳ８で、光ディスク１１がＬ−Ｈ媒体であるかＨ−Ｌ媒体であるかを判別する。この判別は、詳細は後述するが、ＢＣＡ１２での記録膜の反射率の違いによる再生信号レベルの違いと、ＢＣＡ１２に記録されたバーコード情報（Ｂｏｏｋ  Ｖｅｒｓｉｏｎ）の読み取り結果とに基づいて行なわれる。
【００３０】
次に、制御部４２０は、ステップＳ９で、先のステップＳ８で判別した光ディスク１１の記録再生に適応するように各部の調整や設定を変更し、ステップＳ１０で、エンベロープ検出によりシステムリードインエリア１３を検出し、ステップＳ１１で、コネクションエリア１４を通過し、ステップＳ１２で、データリードインエリア１５を検出した後、ステップＳ１３で、データエリア１６に対する記録再生を実行して、動作を終了（ステップＳ１４）する。
【００３１】
以上の動作では、ＢＣＡ１２を検出した後、直ちに光ディスク１１がＬ−Ｈ媒体であるかＨ−Ｌ媒体であるかの判別を行なっているため、特にリードインエリアを再生する回路部の起動時間の短縮化を図ることができるという利点を有する。
【００３２】
ここで、ＢＣＡ１２からの再生信号レベルに基づいて、Ｌ−Ｈ媒体とＨ−Ｌ媒体との判別を行なう手法は、ＢＣＡ１２でのバーコード情報の書き込み形態に依存するため、２通りが存在する。
【００３３】
図７（ａ）は、ディスク基板３９の全面に記録膜４０を形成するという初期化処理を行なった後、記録膜４０を部分的に除去することによってバーコード情報が書き込まれている形態を示している。
【００３４】
この場合、Ｈ−Ｌ媒体の記録膜４０の光反射率は、Ｌ−Ｈ媒体の記録膜４０の光反射率よりも高く、つまり、Ｈ−Ｌ媒体の記録膜４０からの再生信号レベルの方が、Ｌ−Ｈ媒体の記録膜４０からの再生信号レベルよりも高くなっている。また、図７（ｂ）は、このような形態でＬ−Ｈ媒体及びＨ−Ｌ媒体のＢＣＡ１２に書き込まれたバーコード情報の再生信号レベルを示している。
【００３５】
すなわち、記録膜４０の無い部分は、光反射率がほぼ０％であるため、反射光の強度、つまり、再生信号の最低レベルはほぼ０となっている。そして、記録膜４０の有る部分からの再生信号の最大レベルＳｍａｘは記録膜４０の光反射率特性に相当することになり、精度よくＬ−Ｈ媒体とＨ−Ｌ媒体との光反射率の違いを評価することができる。
【００３６】
具体的に言えば、Ｈ−Ｌ媒体の再生信号の最大レベルＳｍａｘ（Ｈ−Ｌ）の下限と、Ｌ−Ｈ媒体の再生信号の最大レベルＳｍａｘ（Ｌ−Ｈ）の上限との間に、判別基準レベルを設けて再生信号の最大レベルＳｍａｘを比較することにより、Ｌ−Ｈ媒体とＨ−Ｌ媒体との識別を行なっている。
【００３７】
そして、このように再生信号レベルからの判別を行なった後、その判別結果とＢＣＡ１２から読み取った規格書のＢｏｏｋ  Ｖｅｒｓｉｏｎ情報とを照合することにより、判別結果の信頼性をさらに向上させている。
【００３８】
次に、記録膜の初期化及び未初期化の違いでバーコード情報を書き込む形態について説明する。この形態では、図８（ａ）に示すように、ディスク基板４１の全面に未初期化状態の記録膜４２を形成し、この記録膜４２を部分的に初期化することによってバーコード情報を書き込んでいる。図８（ａ）において、記録膜４２の斜線で示す部分が初期化された部分である。
【００３９】
この場合、ＢＣＡ１２の記録膜４２は、そのほとんどが未初期化状態となっている。このため、ＢＣＡ１２の再生信号としては、未初期化状態で得られるレベルの方が、初期化状態で得られるレベルよりも圧倒的に多いものとなる。
【００４０】
すなわち、図８（ｂ）に示すように、Ｌ−Ｈ媒体の場合、未初期化部分では反射率が高く、その再生信号がＨレベルとなり、初期化部分では反射率が低く、その再生信号がＬレベルとなっている。このため、Ｈレベルの再生信号が得られる割合の方が、Ｌレベルの再生信号が得られる割合よりも非常に多くなって、Ｌ−Ｈ媒体であると判別することができる。
【００４１】
逆に、図８（ｃ）に示すように、Ｈ−Ｌ媒体の場合、未初期化部分では反射率が低く、その再生信号がＬレベルとなり、初期化部分では反射率が高く、その再生信号がＨレベルとなっている。このため、Ｌレベルの再生信号が得られる割合の方が、Ｈレベルの再生信号が得られる割合よりも非常に多くなり、Ｈ−Ｌ媒体であると判別することができる。
【００４２】
なお、記録膜４２の全体を初期化状態にする時に、部分的に未初期化状態で残すことによってバーコード情報が書き込まれる形態であっても、上記同様に再生信号レベルからＬ−Ｈ媒体とＨ−Ｌ媒体とを判別することが可能である。
【００４３】
ただし、この場合には、Ｈレベルの再生信号が得られる割合が、Ｌレベルの再生信号が得られる割合よりも多くなった場合にＨ−Ｌ媒体であり、Ｌレベルの再生信号が得られる割合が、Ｈレベルの再生信号が得られる割合よりも多くなった場合にＬ−Ｈ媒体であるというように、判別結果が上記と逆になる。
【００４４】
そして、このように再生信号レベルからの判別を行なった場合も、その判別結果とＢＣＡ１２から読み取った規格書のＢｏｏｋ  Ｖｅｒｓｉｏｎ情報とを照合することにより、判別結果の信頼性をさらに向上させることができる。
【００４５】
図９は、以上に述べた光ディスク１１の判別動作、特に、図６に示したステップＳ７〜Ｓ９の部分の動作を詳細に説明するためのフローチャートを示している。まず、動作が開始され（ステップＳ１５）、ステップＳ１６で、ＢＣＡ１２が検出されると、制御部４２０は、ステップＳ１７で、再生信号レベルを評価し、ステップＳ１８で、Ｌ−Ｈ媒体かＨ−Ｌ媒体かを判別する。
【００４６】
そして、Ｌ−Ｈ媒体であると判断された場合、制御部４２０は、ステップＳ１９で、ＢＣＡ１２からの再生信号を処理する再生回路４３０内のアンプ４１３のゲインを、Ｌ−Ｈ媒体に適応した値に切り替える。
【００４７】
その後、制御部４２０は、ステップＳ２０で、ＢＣＡ１２からバーコード情報であるＢｏｏｋ  Ｖｅｒｓｉｏｎ情報を読み取って再生し、ステップＳ２１で、このＢｏｏｋ  Ｖｅｒｓｉｏｎ情報と先にステップＳ１８で判別した結果とを照らし合わせ、ステップＳ２２で、両者が一致しているか否かを判別する。
【００４８】
ここで、一致していないと判断された場合（ＮＯの場合）、制御部４２０は、ステップＳ１７の処理に戻され、一致していると判断された場合（ＹＥＳの場合）、ステップＳ２３で、記録または再生のための上記信号処理部をＬ−Ｈ媒体に適応した状態に設定して、動作を終了（ステップＳ２４）する。
【００４９】
一方、上記ステップＳ１８でＨ−Ｌ媒体であると判断された場合、制御部４２０は、ステップ２５で、ＢＣＡ１２からの再生信号を増幅するアンプ４１３ゲインを、Ｈ−Ｌ媒体に適応した値に切り替える。
【００５０】
その後、制御部４２０は、ステップＳ２６で、ＢＣＡ１２からバーコード情報であるＢｏｏｋ  Ｖｅｒｓｉｏｎ情報を読み取って再生し、ステップＳ２７で、このＢｏｏｋ  Ｖｅｒｓｉｏｎ情報と先にステップＳ１８で判別した結果とを照らし合わせ、ステップＳ２８で、両者が一致しているか否かを判別する。
【００５１】
ここで、一致していないと判断された場合（ＮＯの場合）、制御部４２０は、ステップＳ１７の処理に戻され、一致していると判断された場合（ＹＥＳの場合）、ステップＳ２９で、記録または再生のための上記信号処理部をＨ−Ｌ媒体に適応した状態に設定して、動作を終了（ステップＳ２４）する。
【００５２】
上記のように、ＢＣＡ１２からの再生信号レベルを用いてＬ−Ｈ媒体とＨ−Ｌ媒体との判別を行なうために、図１０に示すように、Ｌ−Ｈ媒体はその初期化状態での光反射率を４〜１０％に設定し、Ｈ−Ｌ媒体はその初期化状態での光反射率を１２〜４０％に設定している。
【００５３】
これは、両媒体の初期化状態（Ｌ−Ｈ媒体のＬレベルとＨ−Ｌ媒体のＨレベル）での光反射率の範囲が重複しない、つまり、Ｈ−Ｌ媒体の初期化状態であるＨレベルの光反射率が、Ｌ−Ｈ媒体の初期化状態であるＬレベルの光反射率の上限より高いことが必要であるからである。
【００５４】
現状における光反射率測定による判別手段でも利用されているように、書き替え型の光ディスク１１に用いられる相変化膜の反射率は、一般的に４０％よりも低いため、再生信号のコントラストが良好であるためには、Ｌレベルの光反射率はできる限り低い（０％に近い）方がよい。
【００５５】
一方、Ｌ−Ｈ媒体では、初期化状態では全てのエリアから得られる再生信号がＬレベルになっており、アドレス情報を再生することを考慮すると、Ｌレベルの光反射率は再生可能なレベルに留める必要性がある。
【００５６】
このためには、再生回路のゲインの電気雑音を考慮すると、５％以上の光反射率が一般的に望ましく、これ以下の光反射率の再生信号を検出する場合は、回路部品の改良が必要になり、現状での実現は困難となる。
【００５７】
しかしながら、信号検出が容易なようにＬレベルの光反射率を高めていくと、再生信号レベルは増大するが、全体の信号レベルも一様に増大し、これに対する雑音も増大するためＳＮ比が低下する。このため、光反射率は、８％以下程度に抑えることが望ましい。以上の説明から、図１０に示すようにＬ−Ｈ媒体の初期化状態での光反射率を４〜１０％に定めることが、良好な信号特性を得る媒体を製造するために必要である。
【００５８】
また、Ｈ−Ｌ媒体でも信号特性を良好にするためには、初期化状態（Ｈレベル）の光反射率として１５％程度が必要であることがわかってきているが、それ以下でも製造は可能である。
【００５９】
しかしながら、単層のＬ−Ｈ媒体とＨ−Ｌ媒体との混在使用を可能とするために、Ｈ−Ｌ媒体のＨレベルの光反射率が、Ｌ−Ｈ媒体のＬレベルの上限光反射率である１０％より高いことが必要であるため、図１０に示すように１２％以上であると規定する。
【００６０】
また、Ｈ−Ｌ媒体のＨレベルの上限光反射率については、一般的な相変化材の光反射率の上限の４０％程度が入ればよいので、図１０に示すように４０％と規定しておく。以上のように、単層書き替え型光ディスク１１の初期化状態の光反射率を定めることにより、良好な再生信号品質を保持して、Ｈ−Ｌ媒体とＬ−Ｈ媒体とを正確に判別することができる。
【００６１】
以上は単層書き替え型光ディスクのみを取り扱った場合のディスク判別法であったが、次に２層書き替え型光ディスクを含めた場合のディスク判別法について述べる。
【００６２】
２層書き替え型光ディスクでは、記録面として読み取り面に近い層（Ｌ０層）と遠い層（Ｌ１層）が存在し、情報の再生及び記録は、レーザー光をどちらかの記録面に焦点を合わせることにより行なう。単層媒体と同様に記録膜特性はＨ−Ｌ及びＬ−Ｈが考えられる。Ｌ１層の見かけの反射率（光ヘッド側で観測される反射光強度と入射光強度の比）はＬ０層の反射・吸収を考慮すると実際の反射率（記録膜からの直接の反射光強度と記録膜への直接の入射光強度の比）の１／４程度以下になる。相変化膜の一般的な反射率は高くても４０％程度であるので、Ｌ１層の見かけの反射率は高くても１０％程度となる。また、記録膜上のアドレス情報の検出、トラッキング、フォーカシングを行うには記録膜の反射率は少なくとも５％程度以上は必要であることが検出回路上の問題として知られているため、Ｌ１層の初期化状態の見かけの反射率は５％程度以上が必要となる。
【００６３】
Ｌ−Ｈ媒体の場合では、Ｌ１層の初期化状態（Ｌレベル）の見かけの反射率を低くても５％程度に、記録状態（Ｈレベル）の反射率が高くても１０％前後になることになる。Ｈ−Ｌ媒体の場合も、初期化状態（Ｈレベル）の見かけの反射率は高くても１０％前後になるが、ＳＮ比向上のために記録状態（Ｌレベル）の反射率をできるだけ０％に近くすることができる。どちらの記録膜特性においても、Ｌ１層の情報を読むためにはＬ０層での光透過性を十分に確保する必要性があるため、Ｌ０層の初期化状態の反射率はできるだけ低い方がよいが、Ｌ１層と同様にＬ０層もアドレス部検出等のため初期化状態の反射率を５％程度は確保する必要がある。従って、Ｌ−Ｈ媒体では記録状態（Ｈレベル）の反射率を高くしすぎると層間クロストークが大きくなり、Ｌ１層の読み取りに支障が出る。一方、Ｈ−Ｌ媒体では、ＳＮ比を大きくするため記録状態（Ｌレベル）の反射率を０％に近くすることが可能である。
【００６４】
一方、１層目にＬ−Ｈ、２層目にＨ−Ｌ特性といった異なる記録膜を用いて２層媒体を作成することもできるが、層間での記録情報へのアクセス時に再生回路の切り替えが必要となるためＬ０層からＬ１層への高速なアクセスが不可能となり、現実的ではない。従って、本発明の実施形態では２層とも同一記録膜特性を持つ媒体を対象とする。
【００６５】
この２層Ｌ−Ｈ及びＨ−Ｌ媒体と前述の単層Ｌ−Ｈ及びＨ−Ｌ媒体の４種類の媒体の混在使用を、単層媒体のみの場合と同様にＢＣＡ領域での再生信号強度評価による判別法を用いて行なう。この判別法では、ＢＣＡ領域のバーコード情報の書き込み手法により大きく二つに分類できる。一つは、バーコードをＢＣＡ領域の記録膜をレーザートリミングなどの手法を用いて除去することにより書き込む手法であり、もう一つは記録膜の初期化と未初期化状態の反射率の違いを利用してバーコードを記録する手法である。それぞれの場合のＢＣＡ領域の再生信号特性とそれを用いた媒体判別法について以下に詳述する。ここで、２層媒体のＢＣＡ領域での反射率を評価するのはＤＶＤ−ＲＯＭなどの再生専用媒体と同様にＬ０層の信号強度を評価することから行なうこととする。これは、Ｌ１層からの信号はＬ０層や中間層などを通過した後の信号であるので環境に影響を受けやすく、Ｌ０層の信号の方が安定していると考えられるからである。
【００６６】
媒体全体の記録膜初期化後にＢＣＡ領域の記録膜を除去してバーコードを書き込む場合は、記録膜の初期化状態の反射率に対応する再生信号強度から判別を行なう。図１１に示すように、予め単層Ｈ−Ｌ媒体の初期化状態（Ｈレベル）の下限反射率と、単層Ｌ−Ｈ媒体の初期化状態（Ｌレベル）の上限反射率の間の差に対応する再生信号強度差を基に、再生信号強度に関する基準値が設定される。再生信号強度の最大値は単層Ｈ−Ｌ媒体では該基準値より大きくなり、単層Ｌ−Ｈ媒体は小さくなることから、媒体判別を行なうことができる。
【００６７】
前述したように２層Ｌ−Ｈ及びＨ−Ｌ媒体は、Ｌ０層の初期化状態の反射率は単層Ｌ−Ｈ媒体と同様で５〜７％程度であるため、再生信号強度の最大値はいずれも基準値よりも小さくなり、単層Ｈ−Ｌ媒体と区別することができる。この記録膜の反射率の違いによる再生信号強度の違いを用いた媒体判別のフローチャートを図１２に示す。判別動作が開始されると（ステップＳ３０）、制御部４２０は先ずＢＣＡ領域を検出し（ステップＳ３１）、再生信号強度の最大値を検出する（ステップＳ３２）。基準値よりも小さい場合（ステップＳ３３でＮＯの場合）、単層Ｌ−Ｈ媒体または２層Ｌ−ＨまたはＨ−Ｌ媒体と判別する（ステップＳ３４）。これに基づいてＢＣＡ再生回路４３０のアンプゲイン等の調整を行ない（ステップＳ３５）、ＢＣＡ領域のバーコード情報中のＢｏｏｋ  ｖｅｒｓｉｏｎ情報の正確な再生を行なう（ステップＳ３６）。ここで、読み出したＢｏｏｋ  ｖｅｒｓｉｏｎ情報が単層Ｌ−Ｈ媒体であるかを確認する（ステップＳ３７）。そうであれば、単層Ｌ−Ｈ媒体であると判別し（ステップＳ３８）、単層Ｌ−Ｈ媒体用再生回路を起動、すなわち再生回路４３０の処理パラメータ等を単層Ｌ−Ｈ媒体用に設定する（ステップＳ３９）。
【００６８】
Ｂｏｏｋ  ｖｅｒｓｉｏｎ情報が単層Ｌ−Ｈ媒体でなければ（ステップＳ３７でＮＯの場合）、次にＢｏｏｋ  ｖｅｒｓｉｏｎ情報が２層Ｈ−Ｌ媒体であるかを確認する（ステップＳ４０）。そうであれば（ＹＥＳの場合）、２層Ｈ−Ｌ媒体であると判別し（ステップＳ４１）、２層Ｈ−Ｌ媒体用再生回路を起動、すなわち再生回路４３０の処理パラメータ等を２層Ｈ−Ｌ媒体用に設定する（ステップＳ４２）。もし２層Ｈ−Ｌ媒体でもないと判断されれば（ステップＳ４０でＮＯの場合）、Ｂｏｏｋ  ｖｅｒｓｉｏｎ情報が２層Ｌ−Ｈ媒体であるかを確認する（ステップＳ４３）。そうであれば（ＹＥＳの場合）、２層Ｌ−Ｈ媒体であると判別し（ステップＳ４４）、２層Ｌ−Ｈ媒体用再生回路を起動、すなわち再生回路４３０の処理パラメータ等を２層Ｌ−Ｈ媒体用に設定する（ステップＳ４５）。そうでなければ（ステップＳ４３でＮＯの場合）、もう一度再生信号強度評価(ステップＳ３２）に戻る。
【００６９】
一方、最初の信号強度評価（ステップＳ３２）で、基準値よりも最大再生信号強度が大きいと評価されれば（ステップＳ３３でＹＥＳの場合）、単層Ｈ−Ｌ媒体と評価する（ステップＳ４６）。次にＢＣＡ再生回路４３０のアンプゲインを調整し（ステップＳ４７）、ＢＣＡ領域のバーコード情報中のＢｏｏｋ  ｖｅｒｓｉｏｎの読み出し再生を行なう（ステップＳ４８）。ここで、Ｂｏｏｋ  ｖｅｒｓｉｏｎ情報が単層Ｈ−Ｌ媒体であるかを確認し（ステップ４９）、再生信号強度評価の結果と一致すれば単層Ｈ−Ｌ媒体であると判別し（ステップ５０）、単層Ｈ−Ｌ媒体用再生回路を起動、すなわち再生回路４３０の処理パラメータ等を単層Ｈ−Ｌ媒体用に設定する（ステップＳ５０）。もし一致しなければ（ステップＳ４９でＮＯの場合）、もう一度再生信号強度評価(ステップＳ３２）に戻る。以上の判別過程で、何度も再生信号強度の再評価に戻るループに入る場合は、媒体判別エラー信号を出し、ディスク取出しが可能な状態になるようにしておけばよい。また、実際にはこれら全ての記録膜を必ず取り扱う必要性はないため、どれかのステップを省略した判別法でも構わない。
【００７０】
次に、記録膜の初期化と未初期化状態の反射率の違いでバーコードを記録する場合について以下に述べる。単層のみの判別法で述べた場合と同様に、再生信号強度評価に単層Ｈ−Ｌ媒体と単層Ｌ−Ｈ媒体の間の重複しない反射率に相当する信号強度レベルに基準値（基準値１）を設けて媒体判別を可能にすることができる。また、２層Ｌ−Ｈ媒体及びＨ−Ｌ媒体の判別は２層Ｌ−Ｈ媒体の初期化状態（Ｌレベル）と２層Ｈ−Ｌ媒体の未初期化状態（Ｌレベル）の信号強度を基準値（基準値２）を設けて比較すれば、判別可能である。
【００７１】
ここで、再生信号特性は、ＢＣＡ領域のバーコードの作成法に依存し、バーコードのバーを初期化状態にするか、未初期化状態にするかで異なる。これは予めどちらにするかを定めておけば問題はない。ただし、２層Ｈ−Ｌ媒体では、未初期化状態は反射率が検出感度以下であるため、バーコード部を初期状態にその他を未初期化状態にすると、ＢＣＡ領域のほとんど全ての領域は反射率が低すぎて検出が不可能である。このため２層Ｈ−Ｌ媒体では、バーコードのバー以外は反射率の高い初期化状態で、バー部を反射率の低い未初期化状態で作成する必要がある。従って、２層Ｈ→Ｌ媒体では、ＢＣＡ領域のバーコード情報のバーを未初期化状態で書き込む必要があるので、再生信号特性は一意的に決まる。一方、２層Ｌ−Ｈ媒体では、Ｌ０層の反射率は初期化状態では約５％程度、未初期化状態では約７％前後になる。従って２層Ｌ−Ｈ媒体では、バーコード情報のバーは初期化状態、未初期化状態のどちらで書き込んでもよい。
【００７２】
図１３に単層及び２層書き替え型媒体のＢＣＡ領域のバーコードを初期化状態で作成した信号特性について示した。図１３（ａ）はこの場合の記録膜状態の模式図を示す。ここで、記録膜中の斜線部がバーコード情報のバー部である。図１３（ｂ）〜１３（ｅ）は再生信号強度を基準値１及び基準値２と比較しながら示した。基準値１は前述の実施形態と同一値である。図１３（ｂ）は単層Ｌ−Ｈ媒体の場合であり、バーコード情報のバーはＬ信号である。再生信号強度を基準値１と比較すると、バーの信号強度は基準値より小さくなり、バー以外の信号強度は基準値１より大きい。図１３（ｃ）は、単層Ｈ−Ｌ媒体の場合で、バーコード情報のバーはＨ信号である。この場合は、バーの信号強度は基準値より大きくなり、バー以外の信号強度は基準値１より小さい。
【００７３】
図１３（ｄ）は２層Ｌ−Ｈ媒体のＬ０層で、バーコード信号のバー部はＬ信号である。単層の場合と異なり、この場合はバーの信号もバー以外の信号も基準値１より小さくなる。図１３（ｅ）は２層Ｈ−Ｌ媒体のＬ０層の場合で、バーコード信号のバー部はＨ信号である。この場合も２層Ｌ−Ｈ媒体と同様に、バー及びバー以外の信号の強度は基準値１より小さくなる。２層Ｌ−Ｈ媒体とＨ−Ｌ媒体の信号特性の違いは、Ｌ信号の強度の違いである。検出限界値に基準値２を設けて比較すると、２層Ｌ−Ｈ媒体のＬ信号（初期化状態の信号）は、前述したようにアドレス部読み取り、フォーカシング、トラッキングを行うために、反射率として５％程度は必要である。従って、２層Ｌ−Ｈ媒体のＬ信号は基準値２より大きくする必要がある。一方、２層Ｈ→Ｌ媒体は、ＳＮ比をできるだけ良くするため、未初期化状態（Ｌレベル）の反射率は、０〜２％程度になり基準値２より小さくなる。従って、基準値２との比較から２層Ｌ−Ｈ媒体と２層Ｈ−Ｌ媒体の判別を行なうことができる。
【００７４】
図１４は単層及び２層書き替え型媒体のＢＣＡ領域におけるバーコードのバーを未初期化状態で形成した場合の信号特性を示す。図１４（ａ）はこの場合の記録膜状態の模式図である。ここで、記録膜中の斜線部がバーコードのバー部である。図１４（ｂ）〜１４（ｅ）は再生信号強度を上記の基準値１及び基準値２と比較しながら示す。図１４（ｂ）は単層Ｌ−Ｈ媒体の場合であり、バーコード情報のバー部はＨ信号である。再生信号強度を基準値１と比較すると、バー部の信号強度は基準値１より大きく、バー以外の信号強度は基準値１より小さくなる。図１４（ｃ）は、単層Ｈ−Ｌ媒体の場合で、バーコード情報のバー部はＬ信号である。この場合は、バーの信号強度は基準値１より小さくなり、バー以外の信号強度は基準値１より大きい。
【００７５】
図１４（ｄ）は２層Ｌ−Ｈ媒体のＬ０層で、バー部の信号はＨ信号である。単層の場合と異なり、この場合はバー部の信号もバー部以外の信号も基準値１より小さくなる。また、バー以外の信号は前述した信号検出条件に基づいて、基準値２より大きくなる。図１４（ｅ）は２層Ｈ−Ｌ媒体のＬ０層の場合で、バー部はＬ信号で再生される。バー及びバー以外の信号の強度は共に基準値１より小さくなる。また、バー部の信号強度は基準値２より小さくなる。
【００７６】
以下に単層媒体のＢＣＡ領域のバーコード作成法に応じた判別方法を詳述する。この方法は図５に示したような光ディスク装置に適用され、制御部２２０のような制御部により実行される。図１５は単層及び２層媒体のＢＣＡ領域におけるバーコードのバーを初期化状態で書き込んだ場合の判別フローチャートを示す。判別動作が開始されると（ステップＳ５０）、制御部４２０は単層媒体のみの場合と同様に、まずＢＣＡ領域を検出し（ステップＳ５１）、前述した図７または図８の方法で再生信号強度を評価する（ステップＳ５２）。ＢＣＡ領域のバー以外からの信号強度が基準値より小さければ（ステップＳ５３でＮＯの場合）、単層Ｈ−Ｌ媒体または２層媒体と認識する（ステップＳ５４）。次にバーコードのバー部の再生強度について評価する（ステップＳ５５）。基準値１よりもバー部の再生強度が大きければ、単層Ｈ−Ｌ媒体と判別する（ステップＳ５７）。この判別結果に基づき、ＢＣＡの再生回路４３０のアンプゲインを調整し（ステップＳ５８）、バーコード情報に含まれるＢｏｏｋ  ｖｅｒｓｉｏｎの再生を行なう（ステップＳ５９）。この時、Ｂｏｏｋ  ｖｅｒｓｉｏｎが信号強度評価から判別した単層Ｈ−Ｌ媒体に一致するか確認する（ステップＳ６０）。一致すれば単層Ｈ−Ｌ媒体用再生回路を前述したように起動する（ステップＳ６１）。不一致であれば、最初の再生信号強度評価に戻る。また、バーコードのバー部の再生強度の評価時（ステップＳ５６）に、基準値１よりも小さければ２層媒体と認識する（ステップＳ６２）。この後、同様にＢＣＡの再生回路４３０のアンプゲインを調整（ステップＳ６３）した後、Ｌ信号強度を基準値２と比較する（ステップＳ６４）。Ｌ信号が基準値２より大きければ（またはＬ信号が検出できれば）、２層Ｌ−Ｈ媒体と認識し（ステップＳ６６）、バーコード情報に含まれるＢｏｏｋ  Ｖｅｒｓｉｏｎの再生を行なう（ステップＳ６７）。読み出したＢｏｏｋ  ｖｅｒｓｉｏｎ  が２層Ｌ−Ｈ媒体のものかの確認を行ない（ステップＳ６８）、そうであれば前述したように２層Ｈ−Ｌ媒体用再生回路を起動する（ステップＳ６９）。また、基準値２よりＬ信号が小さければ（またはＬ信号が検出不可能ならば）、２層Ｈ−Ｌ媒体と認識し（ステップＳ７０）、バーコード情報に含まれるＢｏｏｋ  ｖｅｒｓｉｏｎ情報の再生を行なう（ステップＳ７１）。読み出したＢｏｏｋ  ｖｅｒｓｉｏｎが２層Ｈ−Ｌ媒体のものかの確認を行ない（ステップＳ７２）、そうであれば前述したように２層Ｌ−Ｈ媒体用再生回路を起動する（ステップＳ７３）。一方、最初の再生信号強度評価時（ステップＳ５３）に、ＢＣＡ領域のバー以外の領域からの信号強度が基準値より大きければ、単層Ｌ−Ｈ媒体であると判別する（ステップＳ７４）。このように、最内周部のＢＣＡでの再生信号において、基準値１より高いレベルの再生信号が得られる割合が、基準値１より低いレベルの再生信号が得られる割合より大きい場合、装着された光ディスクは単層Ｌ−Ｈと判断される。この結果に基づき、ＢＣＡの再生回路４３０のアンプゲインを調整し（ステップＳ７５）、バーコード情報に含まれるＢｏｏｋ  Ｖｅｒｓｉｏｎの再生読み出しを行なう（ステップＳ７６）。このＢｏ��ｋ  Ｖｅｒｓｉｏｎが単層Ｌ→Ｈ媒体であるかを確認し（ステップＳ７７）、そうであるなら前述のように単層Ｌ→Ｈ媒体用回路を起動する（ステップＳ７８）。以上の判別過程で、Ｂｏｏｋ  Ｖｅｒｓｉｏｎと信号強度からの判別結果が一致しなければ、再生信号強度による反射率評価に戻る。また、判別ステップにおいて何度もループが繰り返される場合はディスク認識エラーの信号を出し、ディスク取出しが可能な状態になるようにする。
【００７７】
図１６は、単層媒体のＢＣＡ領域のバーコードを未初期化状態で書き込んだ場合の判別フローチャートを示す。この場合も基本的には上述の判別ステップと同じであるが、単層Ｈ−Ｌ媒体と単層Ｌ−Ｈ媒体の信号特性が逆転するために単層に関する判別結果が図１５とは逆になっている。従って詳細な動作説明は省略する。
【００７８】
この本実施形態によれば、単層Ｌ−Ｈ、単層Ｈ−Ｌ、２層Ｈ−Ｌ、２層Ｌ−Ｈの４種の書き替え型媒体の混在使用下での情報記録を可能にすることにより、記録目的用途に応じた記録膜を持つ媒体の選択の幅を広げることができる。又、ＢＣＡ領域での媒体判別からＬｅａｄ−ｉｎ領域に入る前に情報再生・記録回路を切り替えることができるため、Ｓｙｓｔｅｍ  Ｌｅａｄ−ｉｎ  領域に書かれた記録速度情報の読み出し時間を早めることができる。従って、Ｄａｔａ領域に移る前に規定速度で情報記録を行うように設定でき、情報記録回路（スピンドルモータ駆動回路４１５等）の起動の高速化を図ることができる。
【００７９】
上記の判別方法では、まず単層Ｈ−Ｌ媒体と単層Ｌ−Ｈ媒体の再生信号強度の大小を判別するために、基準値１を設ける必要がある。図１７は単層及び２層書き替え型媒体の記録膜の反射率範囲を示す図である。第１段階の信号強度評価に用いる基準値１を設定するには、単層Ｈ−Ｌ媒体の初期化状態（Ｈレベル）と単層Ｌ−Ｈ媒体の初期化状態（Ｌレベル）の反射率が重複しない媒体を用いることが必要である。この場合、前述したように単層Ｈ−Ｌ媒体の初期化状態（Ｈレベル）の反射率は１２〜４０％の範囲内、単層Ｌ−Ｈ媒体の初期化状態（Ｌレベル）の反射率を４〜１０％の範囲内と規定される。同様に、２層Ｈ−ＬのＬ０層の初期化状態（Ｈレベル）及び２層Ｌ→Ｈ媒体のＬ０層の未初期化状態（Ｈレベル）の反射率が、単層Ｈ−Ｌ媒体の初期化状態（Ｈレベル）と重複しなければよい。従って、図１７に示すように２層Ｈ−ＬのＬ０層の初期化状態（Ｈレベル）及び２層Ｌ−Ｈ媒体のＬ０層の未初期化状態（Ｈレベル）の反射率を、単層Ｌ−Ｈ媒体の初期化状態（Ｌレベル）と同じく４〜１０％の範囲内と規定すると、上記の媒体判別法をＢＣＡ領域において精度よく実行できる。この場合、基準値１の範囲は、１０％より大きく１２％より小さい反射率範囲に対応する再生信号強度範囲である。
【００８０】
再生信号品質の良好な２層媒体のＬ０層の初期化状態の反射率は５〜７％程度であることは前述した通りであるから、この反射率規定により再生信号品質を保証することができる。また、Ｂｏｏｋ  ｖｅｒｓｉｏｎ情報のみで判別する方法も可能ではあるが、このように反射率を規定した媒体を用いることにより、反射率に対応した再生信号強度で媒体を判別できるため、アンプゲイン調整を事前に行なうことができる。従って、再生されたＢｏｏｋ  ｖｅｒｓｉｏｎ情報の読み出しエラーはほぼ考えなくてよく、精度の高い読み出しが可能となる。この読み出したＢｏｏｋ  ｖｅｒｓｉｏｎ情報と信号強度評価の結果を比較できるため非常に高精度な媒体判別を最終的に行なうことができる。また、この判別法では、フォーカスサーチ時のようなレンズの上下作動を含まず、電気信号の処理のみで終わるので、非常に高速に判別ができる。
【００８１】
一方、２層Ｌ−Ｈと２層Ｈ−Ｌ媒体の判別のための基準値２は両者のＬ信号を比較するための基準値である。従って、この基準値を設けるためには、２層Ｌ−Ｈ媒体の初期化状態（Ｌレベル）と２層Ｌ−Ｈ媒体の未初期化状態（Ｌレベル）の反射率が重複しないことが必要である。Ｌ−Ｈ媒体ではアドレス検出、フォーカシング及びトラッキングを行うために、初期化状態であるＬ信号を必ず検出できなければならないが、Ｈ−Ｌ媒体はその必要はなくＳＮ比向上のためＬレベルでの反射率はできるだけ０％に近いほどよく、少なくとも２％以下である。従って、図１７に示すように２層Ｌ−Ｈ媒体の初期化状態（Ｌレベル）の反射率を４〜１０％の範囲内、２層Ｈ−Ｌ媒体の未初期化状態（Ｌレベル）の反射率を０〜２％の範囲内と規定することにより、基準値１の範囲は１０％より大きく１２％より小さい範囲内の反射率に対応する再生信号強度範囲として設けることができる。従って、基準値２を用いて２層Ｌ−Ｈと２層Ｈ−Ｌ媒体を判別する判別装置を提供できる。実際には検出限界の信号強度レベルが基準値２の値に相当する。ここで、２層Ｌ−Ｈ媒体の初期化状態の反射率の上限を１０％としたのは、未初期化状態がＨレベルであり、基準値１を設けるために４〜１０％と規定したため、ＬレベルはＨレベルより反射率が大きくなることはないためである。
【００８２】
これまでは、ＢＣＡ領域の作製法を一定にした上での媒体比較を行ってきた。しかし、ＢＣＡ領域でのバーコード作製の定義としては信号特性でも定義でき、この再生信号特性の方を一定にするという条件下でも上述の基準値及び媒体記録膜の反射率規定を用いることにより媒体判別を行なうことができる。例えば、現行ＤＶＤでは一般的にバーコードのバー部がＬ信号になるように作製されている。従って、再生信号特性を、バー部をＬ信号、バー部以外をＨ信号とする場合の判別スキームについて以下説明する。
【００８３】
まず、記録膜を除去してバーコードを書き込む場合は、全てバー部がＬ信号、バー部以外がＨ信号となっているので、前述した図１２のスキームを用いれば判別を行なうことができる。一方、記録膜の初期化・未初期化でバーコードを書き込む場合は、再生信号特性をそろえるため、単層と２層共にバーコード部をＨ−Ｌ媒体では未初期化状態で書き込み、Ｌ→Ｈ媒体では初期化状態で書き込むことになる。
【００８４】
バーコード情報のバーをＬ信号と定めた媒体の判別スキームを図１８に示す。この場合も上記基準値１と２が用いられる。制御部４２は判別動作を開始し（ステップＳ１１０）、ＢＣＡを検出（ステップＳ１１１）後、再生信号強度評価（ステップＳ１１２）を行なう。再生信号のＨ信号をまず評価し、前述の基準値１より低い場合（ステップＳ１１３でＮＯの場合）、２層と判別する（ステップＳ１１４）。アンプゲイン回路を調整した後（ステップＳ１１５）、Ｌ信号の信号強度評価を行なう（ステップＳ１１６）。Ｌ信号が前述の基準値２より大きい場合は２層Ｌ→Ｈ媒体と認識する（ステップＳ１１８）。その後更に、アンプゲイン回路の調整をした後（ステップＳ１１９）、ＢＣＡ領域のバーコード情報に含まれるＢｏｏｋ  ｖｅｒｓｉｏｎを再生し（ステップＳ１２０）、２層Ｌ−Ｈ媒体であるか確認する（ステップＳ１２１）。信号強度評価とＢｏｏｋ  ｖｅｒｓｉｏｎが一致していれば前述したように２層Ｌ−Ｈ媒体用の再生記録回路を起動する（ステップＳ１２２）。Ｌ信号の強度評価時に基準値２より小さければ（または検出できなければ）、２層Ｈ−Ｌ媒体と認識する（ステップＳ１２３）。同様にアンプゲインの調整を行なった後（ステップＳ１２４）、バーコード情報に含まれるＢｏｏｋ  ｖｅｒｓｉｏｎの再生を行い（ステップＳ１２５）、２層Ｈ−Ｌ媒体であるか確認する（ステップＳ１２６）。信号強度評価とＢｏｏｋ  ｖｅｒｓｉｏｎが一致していれば前述したように２層Ｈ−Ｌ媒体用の再生記録回路を起動する（ステップＳ１２７）。両者とも、評価結果が不一致ならば最初の信号強度評価に戻る。一方、Ｈ信号評価時に基準値１より大きい場合は、単層媒体と認識し（ステップＳ１２８）、アンプゲイン回路の調整をした後に（ステップＳ１２９）、バーコード情報のＢｏｏｋ  ｖｅｒｓｉｏｎの再生読み出しを行なう（ステップＳ１３０）。最初に単層Ｌ−Ｈ媒体であるか確認をし（ステップＳ１３１）、そうであれば単層Ｌ−Ｈ媒体用再生記録回路を起動する（ステップＳ１３２）。そうでなければ、単層Ｈ−Ｌ媒体であるかを確認し（ステップＳ１３３）、一致すれば単層Ｈ−Ｌ媒体用再生記録回路を起動する（ステップＳ１３４）。この場合も信号強度評価とＢｏｏｋ  ｖｅｒｓｉｏｎが一致しなければ、最初の信号強度評価に戻る。
【００８５】
以上のように（１）単層Ｈ−Ｌ媒体の初期化状態（Ｈレベル）の反射率と、単層Ｌ−Ｈ媒体の初期化状態（Ｌレベル）、２層Ｌ−Ｈ媒体のＬ０層の未初期化状態（Ｈレベル）及び２層Ｈ−Ｌ媒体のＬ０層の初期化状態（Ｈレベル）の反射率を重複しないように設定し、また（２）２層Ｈ−Ｌ媒体のＬ０層の未初期化状態（Ｌレベル）の反射率を検出限界値以下に設定することにより、これらの書き替え型光ディスクの同一規格内における４種類の媒体の混在使用を可能にすることができる。また、図１７に示すように、単層Ｈ−Ｌ媒体の初期化状態（Ｈレベル）の反射率を１２〜４０％、単層Ｌ−Ｈ媒体の初期化状態（Ｌレベル）、２層Ｌ−Ｈ媒体のＬ０層の未初期化状態（Ｈレベル）及び２層Ｈ−Ｌ媒体のＬ０層の初期化状態（Ｈレベル）を４〜１０％に規定することにより、信号品質が良好な範囲で、上記の反射率の重複を避ける条件を満たした判別装置を作成することができる。上記の媒体判別法及び判別装置では記録膜特性及び層数の異なる４種類の書き替え型光ディスクの全てを判別するスキームを述べたが、必ずしも４種類全てを判別する装置である必要はなく、選択する媒体種の数が少なくてよい場合は不要な媒体種の判別ステップを行なう必要性はない。
【００８６】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素からいくつかの構成要素を削除しても良いものである。
【図面の簡単な説明】
【００８７】
【図１】この発明の実施の形態を示すもので、単層書き替え型光ディスクにおける情報記録領域の構造を説明するために示す図。
【図２】同光ディスクにおけるＢＣＡにバーコードによって情報が書き込まれていることを説明するために示す図。
【図３】同光ディスクにおけるＢＣＡにバーコードによって書き込まれた情報の詳細を説明するために示す図。
【図４】同光ディスクにおけるシステムリードインエリア、コネクションエリア及びデータリードインエリアのデータ構造を説明するために示す図。
【図５】同光ディスクに対して情報の記録再生を行なう光ディスク装置を説明するために示すブロック構成図。
【図６】同光ディスク装置における光ディスクを自動判別して記録再生処理を行なう動作を説明するために示すフローチャート。
【図７】同光ディスクにおけるＢＣＡでのバーコード情報の書き込み形態の一例と同光ディスク装置における再生信号との関係を説明するために示す図。
【図８】同光ディスクにおけるＢＣＡでのバーコード情報の書き込み形態の他の例と同光ディスク装置における再生信号との関係を説明するために示す図。
【図９】同光ディスク装置における光ディスクを自動判別して記録再生処理を行なう動作の要部を詳細に説明するために示すフローチャート。
【図１０】同光ディスクの種類に応じた初期化状態での光反射率の設定状態を説明するために示す図。
【図１１】単層及び２層書き替え型媒体の膜を除去したバーコード記録の場合のＢＣＡ領域の再生信号特性を示す図。
【図１２】ＢＣＡ領域のバーコード情報が記録膜の除去で書き込まれている場合の単層及び２層媒体の媒体判別と再生記録回路切り替えのフローチャート。
【図１３】書き替え型媒体の記録膜の初期化状態でバーコードを書き込んだＢＣＡ領域の再生信号特性を示す図。
【図１４】書き替え型媒体の記録膜の未初期化状態でバーコードを書き込んだＢＣＡ領域の再生信号特性を示す図。
【図１５】ＢＣＡ領域のバーコード情報が初期化状態で書き込まれている場合の単層及び２層媒体の媒体判別と再生記録回路切り替えのフローチャート。
【図１６】ＢＣＡ領域のバーコード情報が未初期化状態で書き込まれている場合の単層及び２層媒体の媒体判別と再生記録回路切り替えのフローチャート。
【図１７】単層及び２層書き替え型媒体の記録膜の反射率範囲を示す図。
【図１８】ＢＣＡ領域のバーコード情報の信号特性がＬ信号と定められた場合の単層及び２層媒体の媒体判別と再生記録回路切り替えのフローチャート。
【符号の説明】
【００８８】
１１…光ディスク、１２…ＢＣＡ、１３…システムリードインエリア、１４…コネクションエリア、１５…データリードインエリア、１６…データエリア、１７…データリードアウトエリア、３９…ディスク基板、４０…記録膜、４１…ディスク基板、４２…記録膜。
【図１】
2008234831.tif 000003
【図２】
2008234831.tif 000004
【図３】
2008234831.tif 000005
【図４】
2008234831.tif 000006
【図５】
2008234831.tif 000007
【図６】
2008234831.tif 000008
【図７】
2008234831.tif 000009
【図８】
2008234831.tif 000010
【図９】
2008234831.tif 000011
【図１０】
2008234831.tif 000012
【図１１】
2008234831.tif 000013
【図１２】
2008234831.tif 000014
【図１３】
2008234831.tif 000015
【図１４】
2008234831.tif 000016
【図１５】
2008234831.tif 000017
【図１６】
2008234831.tif 000018
【図１７】
2008234831.tif 000019
【図１８】
2008234831.tif 000020